(57)【要約】【課題】使い勝手を向上させたインターホンシステムを提供する。【解決手段】インターホンシステムは、宅内又は宅外に設置されて撮像した画像情報を送信するカメラ装置３と、外玄関に設置されるドアホン子器と、カメラ装置３から送信される画像情報を表示する表示部１５，２５をそれぞれ具備し、ドアホン子器との間で通話可能なインターホン親機１及びインターホン副親機２とを備える。インターホン親機１及びインターホン副親機２は、それぞれ表示部１５，２５に画像情報を表示させる表示モードとして、予め設定された所定時間だけ表示させる時間限定表示モードと、所定の操作が行われるまで表示を継続させる継続表示モードとを有し、何れか一方の表示モードを選択するモード選択部を備えている。【選択図】図１
2011205227.tif 000002
【特許請求の範囲】
【請求項１】
外玄関に設置されるドアホン子器と、
宅内又は宅外に設置されたカメラ装置から送信される画像情報を表示する表示部を具備し、前記ドアホン子器との間で通話可能なインターホン親機とを備え、
前記インターホン親機は、前記表示部に前記画像情報を表示させる表示モードとして、予め設定された所定時間だけ表示させる時間限定表示モードと、所定の操作が行われるまで表示を継続させる継続表示モードとを少なくとも有し、何れかの表示モードを択一的に選択するモード選択部を備えたことを特徴とするインターホンシステム。
【請求項２】
前記インターホン親機の前記モード選択部によって、宅内又は宅外に設置された複数の前記カメラ装置の各々について前記表示モードが選択されることを特徴とする請求項１記載のインターホンシステム。
【請求項３】
外玄関に設置されるドアホン子器と、
宅内又は宅外に設置されたカメラ装置から送信される画像情報を表示する表示部を具備し、前記ドアホン子器との間で通話可能なインターホン親機とを備え、
前記インターホン親機は、前記カメラ装置が接続される複数の接続ポートを有し、各接続ポートには、それぞれ前記表示部に前記画像情報を表示させる表示モードとして、予め設定された所定時間だけ表示させる時間限定表示モード、又は、所定の操作が行われるまで表示を継続させる継続表示モードの何れか一方が予め設定されており、
前記インターホン親機は、前記接続ポートに設定された前記表示モードに従って当該接続ポートに接続された前記カメラ装置からの前記画像情報を前記表示部に表示させることを特徴とするインターホンシステム。
【請求項４】
前記インターホン親機は、宅内の造営面に配設される第１のインターホン親機と、前記第１のインターホン親機との間で通信可能な携帯型の第２のインターホン親機とで構成されることを特徴とする請求項１〜３の何れか１項に記載のインターホンシステム。
【発明の詳細な説明】
【技術分野】
【０００１】
本発明は、インターホンシステムに関するものである。
【背景技術】
【０００２】
従来より、屋外の出入り口に設置されるドアホン子器と、宅内に設置されてドアホン子器との間で通話可能なインターホン親機と、宅内又は宅外に設置されて撮像した映像をネットワークを通じて送信するカメラ装置とを備えたインターホンシステムが提供されている（例えば特許文献１参照）。このインターホンシステムでは、インターホン親機側でカメラ装置の映像を監視する操作を行うと、カメラ装置で撮像された映像がネットワークを通じてインターホン親機に伝送され、インターホン親機のモニタに表示されるようになっている。
【先行技術文献】
【特許文献】
【０００３】
【特許文献１】特開２００４−１３５２００号公報（段落［００８１］−段落［００８５］、及び、第１６図）
【発明の概要】
【発明が解決しようとする課題】
【０００４】
上述の特許文献１に示すようなインターホンシステムでは、通常、モニタの切り忘れを防ぐために映像をモニタに表示させる時間が予め設定されており、この設定時間が経過すると自動的にモニタがＯＦＦされるようになっている。そのため、部屋に設置されたカメラ装置を利用し、このカメラ装置の映像を継続的に表示させて部屋内の様子を監視したい場合でも、設定時間が経過すると自動的にモニタがＯＦＦになることから、再度モニタをＯＮにしなくてはならず使い勝手がよくなかった。
【０００５】
本発明は上記問題点に鑑みて為されたものであり、その目的とするところは、使い勝手を向上させたインターホンシステムを提供することにある。
【課題を解決するための手段】
【０００６】
本発明のインターホンシステムは、外玄関に設置されるドアホン子器と、宅内又は宅外に設置されたカメラ装置から送信される画像情報を表示する表示部を具備し、ドアホン子器との間で通話可能なインターホン親機とを備え、インターホン親機は、表示部に画像情報を表示させる表示モードとして、予め設定された所定時間だけ表示させる時間限定表示モードと、所定の操作が行われるまで表示を継続させる継続表示モードとを少なくとも有し、何れかの表示モードを択一的に選択するモード選択部を備えたことを特徴とする。
【０００７】
このインターホンシステムにおいて、インターホン親機のモード選択部によって、宅内又は宅外に設置された複数のカメラ装置の各々について表示モードが選択されるのが好ましい。
【０００８】
また、本発明のインターホンシステムは、外玄関に設置されるドアホン子器と、宅内又は宅外に設置されたカメラ装置から送信される画像情報を表示する表示部を具備し、ドアホン子器との間で通話可能なインターホン親機とを備え、インターホン親機は、カメラ装置が接続される複数の接続ポートを有し、各接続ポートには、それぞれ表示部に画像情報を表示させる表示モードとして、予め設定された所定時間だけ表示させる時間限定表示モード、又は、所定の操作が行われるまで表示を継続させる継続表示モードの何れか一方が予め設定されており、インターホン親機は、接続ポートに設定された表示モードに従って当該接続ポートに接続されたカメラ装置からの画像情報を表示部に表示させることを特徴とする。
【０００９】
上記のインターホンシステムにおいて、インターホン親機は、宅内の造営面に配設される第１のインターホン親機と、第１のインターホン親機との間で通信可能な携帯型の第２のインターホン親機とで構成されるのが好ましい。
【発明の効果】
【００１０】
使い勝手を向上させたインターホンシステムを提供することができるという効果がある。
【図面の簡単な説明】
【００１１】
【図１】（ａ）は実施形態１のインターホンシステムを構成するインターホン親機のブロック図、（ｂ）は同上を構成するインターホン副親機のブロック図、（ｃ）は同上を構成するカメラ装置のブロック図である。
【図２】同上のシステム構成図である。
【図３】同上を構成するインターホン副親機の表示部に表示される画像の一例である。
【図４】同上を構成するインターホン副親機の表示部に表示される他の画像例である。
【図５】同上を構成するインターホン副親機の表示部に表示されるさらに他の画面例である。
【図６】同上の動作を説明するためのフローチャートである。
【図７】実施形態２のインターホンシステムのインターホン親機のブロック図である。
【発明を実施するための形態】
【００１２】
本発明に係るインターホンシステムの実施形態を図面に基づいて説明する。本発明に係るインターホンシステムは、例えば住宅などに設置されて来訪者と住人の間、又は別々の部屋にいる住人間で通話を行うために用いられるものである。
【００１３】
（実施形態１）
図２は本実施形態のインターホンシステムのシステム構成図であり、本インターホンシステムは、宅内又は宅外に設置されて撮像した映像（画像情報）を送信する複数台（図２では２台）のカメラ装置３Ａ，３Ｂと、外玄関に設置されるドアホン子器４と、カメラ装置３Ａ，３Ｂから送信される映像を表示する表示部１５（図１（ａ）参照）を具備し、ドアホン子器４との間で通話可能なインターホン親機（第１のインターホン親機）１と、同じくカメラ装置３Ａ，３Ｂから送信される映像を表示する表示部２５（図１（ｂ）参照）を具備し、ドアホン子器４との間で通話可能なインターホン副親機（第２のインターホン親機）２とを備える。なお、以下の説明において、カメラ装置３Ａ，３Ｂを区別する必要がない場合には、カメラ装置３と表記する。
【００１４】
カメラ装置３Ａ，３Ｂは、図１（ｃ）に示すように、レンズや撮像素子からなるカメラ部３０と、カメラ部３０で撮像された映像をアナログ−デジタル変換したり、デジタル映像の圧縮等の処理を行う映像処理部３１と、映像処理部３１から出力される映像信号を電波を媒体とする無線信号により送信する無線通信部３２及びアンテナ３３と、これらの各部を収納する器体３８Ａ，３８Ｂ（図２参照）とを備える。また、カメラ装置３Ａ，３Ｂには、例えば赤外線センサからなり、検知エリア内の人の存否を検出する人体検知センサ３６が設けられており（図２参照）、この人体検知センサ３６により人体が検出されるとカメラ部３０を起動させて、撮像を開始するようになっている。さらに、カメラ装置３Ｂには、夜間照明用の照明器具３７が一体に設けられており（図２参照）、人体検知センサ３６により人体が検出されると照明器具３７が点灯するようになっている。したがって、本実施形態では、照明設備のある宅内にはカメラ装置３Ａが設置され、照明設備のない宅外にはカメラ装置３Ｂが設置されることになる。
【００１５】
ドアホン子器４は、マイクロホン及びスピーカ、押ボタンスイッチ、カメラ部４２、信号処理回路などが合成樹脂成形品からなるハウジング４０（図２参照）内に収納されてなり、信号線Ｌｓによってインターホン親機１と接続されている。図示しない信号処理回路は、カメラ部４２から出力される映像信号を変調し、且つ、変調した映像信号とマイクロホンから出力される音声信号とを周波数分割多重化して信号線Ｌｓに送出する。また、信号処理回路は、信号線Ｌｓを介してインターホン親機１から送信される音声信号を信号処理し、スピーカから音声を鳴動させる。さらに、ハウジング４０の前面下部の右側には、図２に示すように呼出ボタン４１が設けられており、この呼出ボタン４１が操作されることで上記の押ボタンスイッチがオンされ、呼出信号が信号線Ｌｓを介してインターホン親機１に伝送される。なお、このようなドアホン子器４は従来周知であるから、詳細な構成及び動作についての図示及び説明は省略する。
【００１６】
インターホン親機１は、図１（ａ）に示すように、当該インターホン親機１全体の信号処理や制御を担うＣＰＵ１０と、マイクロホン１１及びスピーカ１２と、カメラ装置３やインターホン副親機２、ドアホン子器４との間で音声信号や映像信号などを送受信する通信部１６と、マイクロホン１１から出力される音声信号（送話信号）と通信部１６を介して受信したインターホン副親機２やドアホン子器４からの音声信号（受話信号）の信号レベルを比較して、相対的に信号レベルが高い方の音声信号のみを通過させる音声スイッチなどの信号処理を実行する音声処理部１３と、通信部１６を介してカメラ装置３やドアホン子器４から受信した映像信号を復調する映像処理部１４と、液晶ディスプレイなどの表示デバイスを有し、映像処理部１４で復調された映像信号によって表示デバイスに映像を表示する表示部１５とを備える。
【００１７】
さらに、インターホン親機１は、押ボタンスイッチやタッチパネルなどを有し、種々の操作入力を受け付ける操作入力受付部１８と、フラッシュメモリやＥＥＰＲＯＭなどの書換可能な不揮発性半導体メモリからなるメモリ部１９と、合成樹脂成形品からなり、これらの各部を収納するハウジング３４（図２参照）とを備える。
【００１８】
通信部１６は、電波を媒体とした無線信号を送受信する無線通信部１６ａ及びアンテナ１７と、信号線Ｌｓを介して信号を送受信する信号送受信部１６ｂとで構成され、インターホン副親機２及びカメラ装置３との間では無線通信部１６ａを介して信号の送受信が行われ、ドアホン子器４との間では信号送受信部１６ｂを介して信号の送受信が行われる。
【００１９】
インターホン副親機２は、図１（ｂ）に示すようにインターホン親機１と同様の構成であり、ＣＰＵ２０と、マイクロホン２１及びスピーカ２２と、無線通信部２６及びアンテナ２７と、音声処理部２３と、映像処理部２４と、表示部２５と、操作入力受付部２８と、メモリ部２９と、これら各部を収納するハウジング３５（図２参照）とを備える。そして、このインターホン副親機２では、インターホン親機１との間で内線通話が行えるとともに、インターホン親機１を介してドアホン子器４との間で通話を行うこともできる。なお、上記のインターホン親機１、インターホン副親機２及び各カメラ装置３Ａ，３Ｂには、それぞれ独立して固有のアドレスが割り当てられ、このアドレスを用いて無線信号の送信先及び送信元を特定することができるようになっている。
【００２０】
ところで、インターホン親機１は、宅内の造営面（例えば壁など）に配設されるものであって、図２に示すようにハウジング３４の前面中央には表示部１５が有する表示デバイスの画面１５ａが露出し、画面１５ａの右側にはガイドボタン１８ａと終了ボタン１８ｂとが上下方向に並べて設けられている。また、インターホン親機１のハウジング３４の側面にはアンテナ１７が突出している。ここにおいて、ガイドボタン１８ａは、インターホン副親機２やドアホン子器４からの呼び出しに応答する機能や、後述するカメラモニターなどのメニュー画面に移行させる機能などを有している。また、終了ボタン１８ｂは、インターホン副親機２やドアホン子器４との通話を終了させる際に押されるボタンである。
【００２１】
一方、インターホン副親機２はインターホン親機１とは異なり、住人が持ち運べるサイズの携帯型であって、図２に示すようにハウジング３５の前面中央には表示部２５が有する表示デバイスの画面２５ａが露出し、画面２５ａに下側にはガイドボタン２８ａと終了ボタン２８ｂとが左右方向に並べて設けられている。これらのガイドボタン２８ａ及び終了ボタン２８ｂは、インターホン親機１のガイドボタン１８ａ及び終了ボタン１８ｂと同様の機能を有している。なお、アンテナ２７はハウジング３５に内蔵されており、外部には突出していない。ここにおいて、上記の画面１５ａ，２５ａはタッチパネルからなり、後述するカメラモニターなどのメニュー画面に移行するための選択ボタン、ズーム機能や明るさ調整機能などの機能ボタンなどが適宜表示されるようになっている。
【００２２】
図３〜図５は、インターホン副親機２の表示部２５に表示される画面の一例であり、カメラモニターとして利用する際に表示部２５に表示される画面である。図３は、住人が見たい映像のカメラ装置（センサーカメラ）３を選択するカメラ装置選択画面であり、画面２５ａの中央には接続されたカメラ装置３を選択するための選択ボタンＢ１〜Ｂ４が表示されている。なお、本実施形態では、２台のカメラ装置３Ａ，３Ｂが接続されていることから、選択ボタンＢ１，Ｂ２にそれぞれカメラ装置３Ａ，３Ｂが設定され、選択ボタンＢ３，Ｂ４は未接続となっている。また、画面２５ａの上部左側にはメニュー名を示すタイトルバーＴＢ１（本例では「カメラモニター＞センサーカメラ」）が表示されており、さらに画面２５ａの下部右側には前の画面に戻るための戻りボタンＢ５が表示されている。
【００２３】
図４は、図３に示すカメラ装置選択画面において選択ボタンＢ１を選択した場合の表示画面であり、図５は選択ボタンＢ２を選択した場合の表示画面である。画面２５ａの中央には選択したカメラ装置３からの映像がリアルタイムに表示され、画面２５ａの上部左側には選択カメラを示すタイトルバーＴＢ２又はＴＢ３（本例では「カメラ１」又は「カメラ２」）が表示されている。また、画面２５ａの上部右側には後述する表示モードを示すモード名Ｗ１又はＷ２（本例では「継続」又は「限定」）が表示され、さらに画面２５ａの上下左右の４箇所にはカメラ装置３の撮像範囲を移動させるための矢印ＡＲ１〜ＡＲ４が表示されている。したがって、矢印ＡＲ１〜ＡＲ４に触れることで、カメラ装置３の撮像範囲をその方向に移動させることができる。
【００２４】
また、画面２５ａの下部には、画面２５ａに表示させている映像を録画する録画ボタンＢ６、継続表示モードと時間限定表示モードとの間で表示モードを切り替える表示モード切替ボタンＢ７、アイコンの表示／非表示を切り替えるアイコン表示切替ボタンＢ８、画面２５ａに表示させた映像を拡大するズームボタンＢ９、画面２５ａに表示させた映像の明るさを調整する明るさ調整ボタンＢ１０、及び前の画面（図３に示す選択画面）に戻るための戻りボタンＢ１１が横並びに表示されている。ここにおいて、カメラ装置３からの映像は、カメラ装置３から直接インターホン副親機２に送信してもいいし、またインターホン親機１で受信したカメラ装置３からの映像をインターホン副親機２に送信するようにしてもよい。なお、インターホン親機１をカメラモニターとして利用した場合、図３〜図５と同様の画面が表示部１５に表示されるため、インターホン親機１については説明を省略する。
【００２５】
ここにおいて、インターホン親機１及びインターホン副親機２は、表示部１５又は表示部２５にカメラ装置３からの映像を表示させる表示モードとして、予め設定された所定時間だけ映像を表示させる時間限定表示モードと、所定の操作（例えば終了ボタン１８ｂ又は終了ボタン２８ｂを押すなど）が行われるまで映像を継続して表示させる継続表示モードとを有している。そして、上記の表示モード切替ボタンＢ７を押すことによって、表示中のカメラ装置３Ａ又はカメラ装置３Ｂの表示モードが時間限定表示モードと継続表示モードとの間で交互に切り替えられるようになっている。すなわち、図４に示すように室内にいる子供の様子を確認しながら家事をしたい場合には、カメラ装置３Ａの表示モードを継続表示モードに設定して常時モニターできるようにし、また図５に示すように宅外の状況を確認したい場合には、カメラ装置３Ｂの表示モードを時間限定表示モードに設定して所定時間が経過すると表示部１５又は表示部２５がＯＦＦになるようにすればよい。ここに、本実施形態では、表示モード切替ボタンＢ７によりモード選択部が構成されている。
【００２６】
なお、インターホン親機１を用いて表示モードを設定した場合には、インターホン親機１のＣＰＵ１０が、設定された表示モードをメモリ部１９に記憶させるとともに、無線通信部１６からインターホン副親機２に伝送させる。そして、インターホン副親機２では、ＣＰＵ２０が、無線通信部２６を介して受信した上記の表示モードをメモリ部２９に記憶させる。また、インターホン副親機２を用いて表示モードを設定した場合にも、同様の処理を経て、設定された表示モードがメモリ部１９，２９に記憶される。
【００２７】
次に、インターホンシステムの動作について、図６に示すフローチャートに基づいて説明する。なお、以下の説明では、インターホン副親機２を用いた場合について説明するが、インターホン親機１の場合も同様である。
【００２８】
インターホン副親機２のガイドボタン２８ａが押されると（ステップＳ１）、ＣＰＵ２０は図示しない所定のメニュー画面を表示部２５に表示させ、さらにこのメニュー画面に表示されたカメラモニターボタンが押されると、ＣＰＵ２０はカメラ装置（センサーカメラ）３又はドアホン子器４の何れかを選択する選択画面を表示部２５に表示させる。その後、この選択画面に表示されたカメラ装置選択ボタンが押されると、ＣＰＵ２０は図３に示すカメラ装置選択画面を表示部２５に表示させる。次に、このカメラ装置選択画面に表示された選択ボタンＢ１（カメラ装置３Ａに対応するボタン）が押されると（ステップＳ２）、ＣＰＵ２０は図４に示すモニター画面を表示部２５に表示させる（ステップＳ３）。そして、ＣＰＵ２０は、ステップＳ４において表示モードが時間限定モードか否かを判別するのであるが、カメラ装置３Ａは継続表示モードに設定されていることから（ステップＳ４のＮｏ）、続けて終了ボタン２８ｂが押されたか否かを判別する（ステップＳ７）。その結果、終了ボタン２８ｂが押されていないとＣＰＵ２０が判断した場合には（ステップＳ７のＮｏ）、ＣＰＵ２０はカメラ装置３Ａからの映像を継続して表示部２５に表示させ、終了ボタン２８ｂが押されたとＣＰＵ２０が判断した場合には（ステップＳ７のＹｅｓ）、ＣＰＵ２０はカメラ装置３Ａからの映像をＯＦＦにし、モニタ動作を終了する（ステップＳ８）。
【００２９】
一方、図３に示すカメラ装置選択画面に表示された選択ボタンＢ２（カメラ装置３Ｂに対応するボタン）が押されると（ステップＳ２）、ＣＰＵ２０は図５に示すモニター画面を表示部２５に表示させる（ステップＳ３）。そして、ＣＰＵ２０は、ステップＳ４において表示モードが時間限定モードか否かを判別するのであるが、カメラ装置３Ｂは時間限定表示モードに設定されていることから（ステップＳ４のＹｅｓ）、続けてモニタ動作開始から所定時間が経過したか否かを判別する（ステップＳ５）。その結果、モニタ動作開始から所定時間が経過しているとＣＰＵ２０が判断した場合には（ステップＳ５のＹｅｓ）、ＣＰＵ２０はカメラ装置３Ｂからの映像をＯＦＦにし、モニタ動作を終了する（ステップＳ８）。また、モニタ動作開始から所定時間が経過していないとＣＰＵ２０が判断した場合には（ステップＳ５のＮｏ）、続けて終了ボタン２８ｂが押されたか否かを判別する（ステップＳ６）。そして、終了ボタン２８ｂが押されていないとＣＰＵ２０が判断した場合には（ステップＳ６のＮｏ）、ＣＰＵ２０はカメラ装置３Ａからの映像を継続して表示部２５に表示させ、終了ボタン２８ｂが押されたとＣＰＵ２０が判断した場合には（ステップＳ６のＹｅｓ）、所定時間が経過する前であっても、ＣＰＵ２０はカメラ装置３Ｂからの映像をＯＦＦにし、モニタ動作を終了する（ステップＳ８）。
【００３０】
上述のように、本実施形態によれば、表示モード切替ボタン（モード選択部）Ｂ７により継続表示モードを選択することで終了ボタン１８ｂ又は終了ボタン２８ｂが押されるまで継続して室内を監視できることから、カメラモニターとして利用する際に従来例のように何度もモニターをＯＮにしなくてもよく、使い勝手が向上するという利点がある。また、表示モード切替ボタンＢ７により時間限定表示モードを選択することで、表示部１５又は表示部２５の切り忘れによる無駄な電力消費を抑えることもできる。さらに、カメラ装置３の使用用途に応じて表示モードを選択できるので、使い勝手が向上するという利点もある。
【００３１】
また、カメラ装置３毎に表示モードを設定できることから、使用用途に応じてカメラ装置３を使い分けることができ、使い勝手がさらに向上するという利点がある。さらに、本実施形態では、携帯型のインターホン副親機２の表示部２５にカメラ装置３からの映像を表示できることから、インターホン副親機２を持ち運ぶことで宅内のどこにいてもカメラ装置３からの映像を取得することができる。
【００３２】
なお、本実施形態では、カメラ装置３からの映像を無線信号により送信しているが、信号線を介してインターホン親機１に送信するようにしてもよい。この場合、インターホン副親機２に映像を送信するときは、インターホン親機１が受信した映像をインターホン副親機２に送信することになる。また、カメラ装置の台数は本実施形態に限定されるものではなく、１台でもいいし、３台以上であってもよい。さらに、本実施形態では、表示モード切替ボタンＢ７によって、継続表示モードと時間限定表示モードとの間で切り替えられるようになっているが、例えばそれ以外の表示モードがあってもよく、この表示モードを含む何れかの表示モードに切り替えられるようになっていてもよい。
【００３３】
（実施形態２）
本発明に係るインターホンシステムの実施形態２を図面に基づいて説明する。実施形態１では、表示モード切替ボタン（モード選択部）Ｂ７によってカメラ装置３毎に表示モードを切り替えられるようになっているが、本実施形態では、インターホン親機１が備える複数の接続ポートそれぞれに、時間限定モード又は継続表示モードの何れか一方の表示モードが予め設定されている。なお、以下の説明において、実施形態１と同様の構成要素には同一の符号を付して説明は省略する。
【００３４】
本実施形態のインターホンシステムは、インターホン親機１と、インターホン副親機２と、ドアホン子器４と、複数台（図７では４台）のカメラ装置３とを備える。
【００３５】
インターホン親機１は、実施形態１と同様の構成を備えるとともに、カメラ装置３が接続される複数（図７では２つ）の信号送受信部（接続ポート）１６ｃ，１６ｄが設けられている。そして、これらの信号送受信部１６ｃ，１６ｄには、それぞれ時間限定表示モード又は継続表示モードの何れか一方の表示モードが予め設定されている。したがって、信号送受信部１６ｃ（又は信号送受信部１６ｄ）にカメラ装置３が接続されると、カメラ装置３からの映像は、接続された信号送受信部１６ｃ（又は信号送受信部１６ｄ）に設定された表示モードに従って、インターホン親機１の表示部１５又はインターホン副親機２の表示部２５に表示されることになる。なお、インターホンシステムの動作については実施形態１と同様であるから、ここでは説明を省略する。
【００３６】
上述のように、本実施形態によれば、信号送受信部１６ｃ，１６ｄには表示モードが予め設定されており、住人が表示モードを設定しなくてもいいことから、設定作業を簡略化できるとともに、設定変更に伴う煩わしさがないという利点がある。
【００３７】
なお、カメラ装置の台数は本実施形態に限定されるものではなく、複数台であればよい。また、接続ポートの数も本実施形態に限定されるものではなく、複数であればよい。さらに、実施形態１，２では、ドアホン子器４からの映像信号及び音声信号を信号線Ｌｓを介してインターホン親機１に送信しているが、無線信号により送信するようにしてもよい。
【符号の説明】
【００３８】
１  インターホン親機（第１のインターホン親機）
２  インターホン副親機（第２のインターホン親機）
３  カメラ装置
４  ドアホン子器
１５，２５  表示部
Ｂ７  表示モード切替ボタン（モード選択部）
【図１】
2011205227.tif 000003
【図２】
2011205227.tif 000004
【図３】
2011205227.tif 000005
【図４】
2011205227.tif 000006
【図５】
2011205227.tif 000007
【図６】
2011205227.tif 000008
【図７】
2011205227.tif 000009